(57)【要約】【課題】構造簡単で、コストが安く、Ｈ形鋼への取付けが容易な取付金具を提供する。【解決手段】Ｈ形鋼１にＣ形鋼２を取り付ける金具であり、上板部６Ａ，６Ｂと下板部７Ａ，７Ｂと側板部８Ａ，８Ｂとからなる一対の金具半割体５Ａ，５Ｂを備え、両金具半割体５Ａ，５Ｂの側板部８Ａ，８ＢでＣ形鋼２を両側から挟み付けるように両金具半割体５Ａ，５Ｂを組み付け、一方の金具半割体５Ａの上板部６Ａ及び下板部７Ａが他方の金具半割体５Ｂの上板部６Ｂ及び下板部７Ｂの夫々上側に重なり合う状態で、両金具半割体５Ａ，５Ｂの両上板部６Ａ，６ＢとＣ形鋼２の上側面との間にＨ形鋼１の下部フランジ１ｃを嵌め込み、両金具半割体５Ａ，５Ｂの下板部７Ａ，７Ｂ及び下板部７Ａ，７Ｂをボルト１３で接合し、上板部６Ａ，６Ｂのボルト１３の先端部をＨ形鋼１の下部フランジ１ｃに押し付け、下板部７Ａ，７Ｂのボルト１３の先端部をＣ形鋼２の下側面に押し付ける。【選択図】図２
2008308874.tif 000002
【特許請求の範囲】
【請求項１】
梁又は桁用Ｈ形鋼にこれと直交する天井下地取付用Ｃ形鋼を取り付ける金具であって、上板部と下板部と上下板部をつなぐ側板部とで正面視及び側面視が何れも略コ字状を成すように形成された左右一対の金具半割体からなり、各金具半割体には上板部及び下板部の夫々所定位置にボルト挿通孔又はタッピング孔を設け、両金具半割体の側板部で前記Ｃ形鋼を両側から挟み付けるように両金具半割体を互いに嵌合させて、一方の金具半割体の上板部及び下板部が他方の金具半割体の上板部及び下板部の夫々上側に重なり合う状態で、両金具半割体の両上板部とＣ形鋼の上側面との間に前記Ｈ形鋼の下部フランジを嵌め込み、両金具半割体の上板部どうし及び下板部どうしをボルト挿通孔に挿通したボルト及びナットにより又はタッピング孔にねじ込んだビスによって接合すると共に、上板部側のボルト又はビスの先端部をＨ形鋼の下部フランジに押し付け、下板部側のボルト又はビスの先端部をＣ形鋼の下側面に押し付けるようにした天井下地取付用Ｃ形鋼の取付金具。
【請求項２】
各金具半割体は、所定形状に形取りした鋼板材をプレス加工することにより形成されるもので、一方の金具半割体には上板部の両側縁から補強片を下向きに一体に突設し、他方の金具半割体には下板部の両側縁から補強片を上向きに一体に突設してなる請求項１に記載の天井下地取付用Ｃ形鋼の取付金具。
【請求項３】
両金具半割体の何れか一方の側板部にはタッピング孔を設け、両金具半割体の側板部が前記Ｃ形鋼を両側から挟み付けた状態で一方の金具半割体の側板部のタッピング孔よりビスを前記Ｃ形鋼の背面部にねじ込むようにした請求項１又は２に記載の天井下地取付用Ｃ形鋼の取付金具。
【請求項４】
一方の金具半割体の上板部と他方の金具半割体の上板部との間、及び一方の金具半割体の下板部と他方の金具半割体の下板部との間に夫々緩衝材を介在させてなる請求項１〜３の何れかに記載の天井下地取付用Ｃ形鋼の取付金具。
【発明の詳細な説明】
【技術分野】
【０００１】
本発明は、天井下地の施工において建物の梁又は桁用Ｈ形鋼にこれと直交する天井下地取付用のＣ形鋼を取り付けるための取付金具に関するものである。
【背景技術】
【０００２】
屋根が例えば折版屋根からなる大型の建物では、建物の梁又は桁として使用されているＨ形鋼に、このＨ形鋼と直交するように配置される天井下地取付用のＣ形鋼を取り付け、このＣ形鋼に天井下地を取り付けるようにしている。このＣ形鋼をＨ形鋼に取り付ける取付装置として、特許公報等の公知文献を具体的に挙げることはできないが、従来、天井下地取付用のＣ形鋼を梁又は桁用のＨ形鋼に取り付けるのに、大型で複雑な構造の取付装置が使用されていた。
【発明の開示】
【発明が解決しようとする課題】
【０００３】
屋根が例えば折版屋根からなる大型の建物では、建物の梁又は桁として使用されているＨ形鋼に、このＨ形鋼と直交するように配置される天井下地取付用のＣ形鋼を取り付け、このＣ形鋼に天井下地を取り付けるようにしている。しかして、そのＣ形鋼を梁又は桁用のＨ形鋼に取り付けるのに、従来では、大型で複雑な構造の取付金具を使用していたため、コストが高くつく上に、天井下地の施工に手間がかかって、作業能率が悪かった。
【０００４】
本発明は、上記の課題に鑑み、構造が簡単で、製作コストが安く、梁又は桁用のＨ形鋼への取付けを簡単容易に行なえる取付金具を提供することを目的とする。
【課題を解決するための手段】
【０００５】
上記課題を解決するための手段を、後述する実施形態の参照番号を付して説明すると、請求項１に係る発明の天井下地取付用Ｃ形鋼の取付金具は、梁又は桁用Ｈ形鋼１にこれと直交する天井下地取付用Ｃ形鋼２を取り付ける金具であって、上板部６Ａ，６Ｂと下板部７Ａ，７Ｂと上下板部６Ａ，６Ｂ、７Ａ，７Ｂをつなぐ側板部８Ａ，８Ｂとで正面視及び側面視が何れも略コ字状を成すように形成された左右一対の金具半割体５Ａ，５Ｂからなり、各金具半割体５Ａ，５Ｂには上板部６Ａ，６Ｂ及び下板部７Ａ，７Ｂの夫々所定位置にボルト挿通孔９又はタッピング孔を設け、両金具半割体５Ａ，５Ｂの側板部８Ａ，８Ｂで前記Ｃ形鋼２を両側から挟み付けるように両金具半割体５Ａ，５Ｂを互いに嵌合させて、一方の金具半割体５Ａの上板部６Ａ及び下板部７Ａが他方の金具半割体５Ｂの上板部６Ｂ及び下板部７Ｂの夫々上側に重なり合う状態で、両金具半割体５Ａ，５Ｂの両上板部６Ａ，６ＢとＣ形鋼２の上側面との間に前記Ｈ形鋼１の下部フランジ１ｃを嵌め込み、両金具半割体５Ａ，５Ｂの下板部７Ａ，７Ｂどうし及び下板部７Ａ，７Ｂどうしをボルト挿通孔９に挿通したボルト１３及びナット１４により又はタッピング孔にねじ込んだビスによって接合すると共に、上板部６Ａ，６Ｂ側のボルト１３又はビスの先端部をＨ形鋼１の下部フランジ１ｃに押し付け、下板部７Ａ，７Ｂ側のボルト１３又はビスの先端部をＣ形鋼２の下側面に押し付けるようにしたことを特徴とする。
【０００６】
請求項２は、請求項１に記載の天井下地取付用Ｃ形鋼の取付金具において、各金具半割体５Ａ，５Ｂは、所定形状に形取りした鋼板材をプレス加工することにより形成されるもので、一方の金具半割体５Ａには上板部６Ａの両側縁から補強片１０，１１を下向きに一体に突設し、他方の金具半割体５Ｂには下板部７Ｂの両側縁から補強片１０，１１を上向きに一体に突設してなることを特徴とする。
【０００７】
請求項３は、請求項１又は２に記載の天井下地取付用Ｃ形鋼の取付金具において、両金具半割体５Ａ，５Ｂの何れか一方の側板部８Ｂにはタッピング孔１２を設け、両金具半割体５Ａ，５Ｂの側板部８Ａ，８Ｂが前記Ｃ形鋼２を両側から挟み付けた状態で一方の金具半割体５Ｂの側板部８Ｂのタッピング孔１２よりビス１５を前記Ｃ形鋼２の背面部にねじ込むようにしたことを特徴とする。
【０００８】
請求項４は、請求項１〜３の何れかに記載の天井下地取付用Ｃ形鋼の取付金具において、一方の金具半割体５Ａの上板部６Ａと他方の金具半割体５Ｂの上板部６Ｂとの間、及び一方の金具半割体５Ａの下板部７Ａと他方の金具半割体５Ｂの下板部７Ｂとの間に夫々緩衝材２５を介在させてなることを特徴とする。
【発明の効果】
【０００９】
上記解決手段による発明の効果を、後述する実施形態の参照番号を付して説明すると、請求項１に係る発明の取付金具３によれば、左右一対の金具半割体５Ａ，５ＢをＣ形鋼２を挟んでその両側に位置させた状態から、両金具半割体５Ａ，５Ｂの側板部８Ａ，８ＢでＣ形鋼２を両側から挟み付けるように両金具半割体５Ａ，５Ｂを互いに嵌合させて、一方の金具半割体５Ａの上板部６Ａ及び下板部７Ａが他方の金具半割体５Ｂの上板部６Ｂ及び下板部７Ｂの夫々上側に重なり合った状態で、両金具半割体５Ａ，５Ｂの両上板部６Ａ，６ＢとＣ形鋼２の上部フランジ２ｂ上側面との間の空間部をＨ形鋼１の下部フランジ１ｃに嵌め込ませ、両金具半割体５Ａ，５Ｂの上板部６Ａ，６Ｂどうし及び下板部７Ａ，７Ｂどうしをボルト１３及びナット１４により接合すると共に、上板部６Ａ，６Ｂ側のボルト１３の先端部をＨ形鋼１の下部フランジ１ｃに押し付け、下板部７Ａ，７Ｂ側のボルト１３の先端部をＣ形鋼２の下部フランジ２ｃの下側面に押し付けるようにすればよいから、Ｃ形鋼２をＨ形鋼１の下部フランジ１ｃに対して簡単且つ容易に取り付け固定することができる。特に、この取付金具３は、左右一対の金具半割体５Ａ，５Ｂと複数のボルト１３・ナット１４又はタッピングビスからなるため、構造簡単にして部品点数が少なく、製作が容易で安価に提供することができる。
【００１０】
請求項２に係る発明の取付金具３によれば、各金具半割体５Ａ，５Ｂが、所定の形状に切断して形取りした鋼板材（図示省略）をプレス加工することによって形成されるから、製作が一層容易となり、量産することによりコストの著しい低廉化を図ることができる。また、この場合、一方の金具半割体５Ａには上板部６Ａの両側縁から補強片１０，１１を下向きに一体に突設し、他方の金具半割体５Ｂには下板部７Ｂの両側縁から補強片１０，１１を上向きに一体に突設することにより、厚みの比較的薄い鋼板を使用しても、十分な強度を確保できる。
【００１１】
請求項３に係る発明によれば、両金具半割体５Ａ，５Ｂの何れか一方の側板部８Ｂにはタッピング孔１２を設け、両金具半割体５Ａ，５Ｂの側板部８Ａ，８Ｂが前記Ｃ形鋼２を両側から挟み付けた状態で一方の金具半割体５Ｂの側板部８Ｂのタッピング孔１２よりビス１５をＣ形鋼２の背面部にねじ込むことによって、Ｃ形鋼２の長手方向に対する取付金具３のずれを阻止できる。
【００１２】
請求項４に係る発明のように、一方の金具半割体５Ａの上板部６Ａと他方の金具半割体５Ｂの上板部６Ｂとの間、及び一方の金具半割体５Ａの下板部７Ａと他方の金具半割体５Ｂの下板部７Ｂとの間に夫々緩衝材２５を介在させた場合には、左右金具半割体５Ａ，５Ｂの組み付け時に金具半割体５Ａ，５Ｂの上板部６Ａ，６Ｂどうし、あるいは下板部７Ａ，７Ｂどうしが当接する時に耳障りな金属音が発生するのを防止し、作業環境の向上を図ることができる。
【発明を実施するための最良の形態】
【００１３】
以下に本発明の好適実施形態について図面を参照して説明すると、図１は本発明に係る取付金具で取り付けられたＣ形鋼とこのＣ形鋼に取り付けられた天井下地を示す正面図、図２の(a) は本発明に係る取付金具によってＣ形鋼をＨ形鋼に取り付けた状態の正面図、(b) は(a) のＸ−Ｘ線断面図であり、図３は本発明に係る取付金具の分解斜視図、図４は図１のＹ−Ｙ線拡大断面図である。図１において、１は大型建物の屋根の下方に設けられた梁又は桁としてのＨ形鋼で、ウエブ１ａと上下フランジ１ｂ，１ｃとからなる。２はＨ形鋼１と直交するように配されて本発明に係る取付金具３によってＨ形鋼１に取り付けられる天井下地取付用のＣ形鋼で、ウエブ２ａと上下フランジ２ｂ，２ｃとリップ２ｄ，２ｅとで断面が略Ｃ字状に形成され、このＣ形鋼２に天井下地４が取り付けられる。
【００１４】
取付金具３は、図３から分かるように、上板部６Ａ，６Ｂと下板部７Ａ，７Ｂと上下の板部６Ａ，６Ｂ、７Ａ，７Ｂをつなぐ側板部８Ａ，８Ｂとによって、正面視及び側面視が何れも略コ字状を成すように形成された左右一対の金具半割体５Ａ，５Ｂからなる。
【００１５】
各金具半割体５Ａ，５Ｂは、所定の形状に切断して形取りした鋼板材（図示省略）をプレス加工することによって形成されたもので、各金具半割体５Ａ，５Ｂには上板部６Ａ，６Ｂ及び下板部７Ａ，７Ｂの夫々所定位置にボルト挿通孔（又はタッピング孔）９が設けられ、また一方の金具半割体５Ａには上板部６Ａの両側縁から補強片１０，１１が下向き直角に一体に突設され、他方の金具半割体５Ｂには下板部７Ｂの両側縁から補強片１０，１１が夫々上向き直角に一体に突設されている。また、両金具半割体５Ａ，５Ｂの何れか一方、ここでは半割体５Ｂの側板部８Ｂに、タッピング孔１２が設けられている。
【００１６】
天井下地４は、図１及び図４に示すように、天井下地取付用Ｃ形鋼２に複数本の吊りボルト１６を夫々吊りボルト用ハンガー１７を介して垂下装備し、各吊りボルト１６の下端部に野縁受け用ハンガー１８をナット２３により取り付けて、これら野縁受け用ハンガー１８間に野縁１９を支持するための野縁受け２０を橋架し、この野縁受け２０に複数の天井板取付用野縁１９を夫々クリップ２１により取り付けるようにした周知構造のもので、この天井下地４の野縁１９に天井板２２を釘打ちにより取り付けるようになっている。
【００１７】
吊りボルト用ハンガー１７は、図４に示すように、竪板片１７ａと、この竪板片１７ａの下端部から水平に直角に延びる横板片１７ｂとからなり、竪板片１７ａの上端部にはＣ形鋼２の下部リップ２ｅに係嵌する略下向きコ字状の係嵌部２４を形成し、横板片１７ｂには吊りボルト１６が螺合するネジ孔２６を形成したもので、この横板片１７ｂのネジ孔２６に吊りボルト１６の上端部をねじ込んだ状態で竪板片１７ａの係嵌部２４をＣ形鋼２の下部リップ２ｅに係嵌させ、この状態で吊りボルト１６を回してその上端面をＣ形鋼２の下フランジ２ｃの下側面に押し付けることにより、吊りボルト１をＣ形鋼２に一体的に取り付けるようになっている。
【００１８】
上記取付金具３によって天井下地取付用Ｃ形鋼２をＨ形鋼１の下部フランジ１ｃに取り付けるには、この取付金具３を構成する左右一対の金具半割体５Ａ，５Ｂを、図３に示すように、Ｃ形鋼２を挟んでその両側に位置させた状態から、両金具半割体５Ａ，５Ｂの側板部８Ａ，８ＢによってＣ形鋼２を両側から挟み付けるように両金具半割体５Ａ，５Ｂを互いに嵌合させて、一方の金具半割体５Ａの上板部６Ａ及び下板部７Ａが他方の金具半割体５Ｂの上板部６Ｂ及び下板部７Ｂの夫々上側に重なり合った状態とする。この時、両金具半割体５Ａ，５Ｂは、側面視が図２の(a) に示すように略コ字状を成し、且つ正面視が同図の(b) に示すように略矩形状の閉じた形状となる。
【００１９】
斯かる状態で、両金具半割体５Ａ，５Ｂの両上板部６Ａ，６ＢとＣ形鋼２の上部フランジ２ｂ上側面との間の空間部に前記Ｈ形鋼１の下部フランジ１ｃが嵌まり込むようにし、しかして両金具半割体５Ａ，５Ｂの上板部６Ａ，６Ｂどうし及び下板部７Ａ，７Ｂどうしを、ボルト挿通孔９に挿通したボルト１３に予め螺合してある２つのナット１４，１４を締め付けることにより接合すると共に、上板部６Ａ，６Ｂ側のボルト１３先端部をＨ形鋼１の下部フランジ１ｃに押し付け、下板部７Ａ，７Ｂ側のボルト１３の先端部をＣ形鋼２の下部フランジ２ｃの下側面に押し付けることにより、この取付金具３を介して天井下地取付用Ｃ形鋼２をＨ形鋼１の下部フランジ１ｃに取り付け固定する。
【００２０】
尚、図２の(a) に示すように、金具半割体５Ａ，５Ｂの上板部６Ａ，６Ｂ側には２本のボルト１３，１３が取り付けられ、その一方のボルト１３は先端部をＣ形鋼２の下部フランジ２ｃの下側面に押し付けるが、他方のボルト１３の先端部はＣ形鋼２の下部フランジ２ｃの下側面に押し付ける。また金具半割体５Ａ，５Ｂの上板部６Ａ，６Ｂ側にも２本のボルト１３，１３が取り付けられが、その２本のボルト１３，１３は何れもＣ形鋼２の下部フランジ２ｃの下側面に押し付ける。
【００２１】
上記実施形態の説明は、Ｃ形鋼２の１箇所に両金具半割体５Ａ，５Ｂを挟み付けた１個の取付金具３でＣ形鋼２をＨ形鋼１の１箇所に固定したものについて説明したが、実際の取付作業では、複数本並設されているＨ形鋼１の下面側にこれらＨ形鋼１直交する複数本のＣ形鋼２を互いに組み付けるようになっており、しかしてＣ形鋼２がＨ形鋼１と直交する箇所に夫々取付金具３を使用することになる。
【００２２】
上記のように、この発明に係る取付金具３によれば、左右一対の金具半割体５Ａ，５ＢをＣ形鋼２を挟んでその両側に位置させた状態から、両金具半割体５Ａ，５Ｂの側板部８Ａ，８ＢでＣ形鋼２を両側から挟み付けるように両金具半割体５Ａ，５Ｂを互いに嵌合させて、一方の金具半割体５Ａの上板部６Ａ及び下板部７Ａが他方の金具半割体５Ｂの上板部６Ｂ及び下板部７Ｂの夫々上側に重なり合った状態で、両金具半割体５Ａ，５Ｂの両上板部６Ａ，６ＢとＣ形鋼２の上部フランジ２ｂ上側面との間の空間部をＨ形鋼１の下部フランジ１ｃに嵌め込ませ、両金具半割体５Ａ，５Ｂの上板部６Ａ，６Ｂどうし及び下板部７Ａ，７Ｂどうしをボルト１３及びこのボルト１３に螺合したナット１４により接合すると共に、上板部６Ａ，６Ｂ側のボルト１３先端部をＨ形鋼１の下部フランジ１ｃに押し付け、下板部７Ａ，７Ｂ側のボルト１３の先端部をＣ形鋼２の下部フランジ２ｃの下側面に押し付けるようにすればよいから、Ｃ形鋼２をＨ形鋼１の下部フランジ１ｃに対して簡単且つ容易に取り付け固定することができる。また、この取付金具３は、左右一対の金具半割体５Ａ，５Ｂと複数本のボルト１３及びナット１４からなるため、構造簡単にして部品点数が少なく、製作が容易で安価に提供することができる。
【００２３】
また、各金具半割体５Ａ，５Ｂの上板部６Ａ，６Ｂ及び下板部７Ａ，７Ｂに夫々ボルト挿通孔９を２つずつ設けたが、夫々１つだけでもよい。その場合、上板部６Ａ，６Ｂ側のボルト挿通孔９に挿通されるボルト１３は、その先端部でＨ形鋼１の下部フランジ１ｃを押し付けるものである。また、この実施形態では、上板部６Ａ，６Ｂ及び下板部７Ａ，７Ｂに夫々ボルト挿通孔９を設け、このボルト挿通孔９に挿通するボルト１３及びナット１４を使用しているが、上板部６Ａ，６Ｂ及び下板部７Ａ，７Ｂに夫々タッピング孔を設け、このタッピン孔に直接ネジを切りながら通していくタッピングビスを使用することもできる。
【００２４】
また、この取付金具３の各金具半割体５Ａ，５Ｂは、所定の形状に切断して形取りした鋼板材（図示省略）をプレス加工することによって形成されるから、製作が一層容易となり、量産することによってコストの著しい低廉化を図ることができる。また、この場合、一方の金具半割体５Ａには上板部６Ａの両側縁から補強片１０，１１を下向きに一体に突設し、他方の金具半割体５Ｂには下板部７Ｂの両側縁から補強片１０，１１を上向きに一体に突設することにより、厚みの比較的薄い鋼板を使用しても、十分な強度を確保することができる。
【００２５】
図５に示す実施形態の取付金具３のように、一方の金具半割体５Ａの上板部６Ａと他方の金具半割体５Ｂの上板部６Ｂとの間、及び一方の金具半割体５Ａの下板部７Ａと他方の金具半割体５Ｂの下板部７Ｂとの間に夫々緩衝材２５を介在させておけば、左右金具半割体５Ａ，５Ｂの組み付け時に金具半割体５Ａ，５Ｂの上板部６Ａ，６Ｂどうし、あるいは下板部７Ａ，７Ｂどうしが当接する時に耳障りな金属音が発生するのを防止し、作業環境の向上を図ることができる。この緩衝材２５としては、ゴム板等を使用する。
【００２６】
図６は取付金具３の他の使用方法を示したもので、例えば天井板２２から天井スラブＳまでの高さが例えば８〜１０ｍと高くなる場合に、天井下地取付用Ｃ形鋼２を取付金具３を介して吊りボルト３１により天井スラブＳから吊持すると共に、この取付金具３を介してＣ形鋼２から天井下地４を吊持するようにしたものである。この場合、取付金具３を構成する両金具半割体５Ａ，５Ｂの上板部６Ａ，６Ｂに設けたビス挿通孔９に吊りボルト３１の下端部を挿通してナット２７、２７で上板部６Ａ，６Ｂどうしを接合すると共に、吊りボルト３１の下端をＣ形鋼２の上部フランジ２ｂに押し付け、また下板部７Ａ，７Ｂのビス挿通孔９に天井下地４の吊りボルト１６の上端部を挿通してナット２８，２８で下板部７Ａ，７Ｂどうしを接合すると共に、吊りボルト１６の上端をＣ形鋼２の下側面に押し付けるようにしている。天井下地４については、図４に示すものと同じである。
【図面の簡単な説明】
【００２７】
【図１】本発明に係る取付金具で取り付けられたＣ形鋼及びこれに取り付けられた天井下地を示す正面図である。
【図２】(a) は本発明に係る取付金具によってＣ形鋼をＨ形鋼に取り付けた状態の正面図、(b) は(a) のＸ−Ｘ線断面図である。
【図３】本発明に係る取付金具の分解斜視図である。
【図４】図１のＹ−Ｙ線拡大断面図である。
【図５】本発明に係る取付金具の他の実施形態を示すもので、図１のＺ−Ｚ線に沿った断面したような断面図である。
【図６】本発明に係る取付金具の他の使用方法を示す説明図である。
【符号の説明】
【００２８】
１              梁又は桁用のＨ形鋼
２              天井下地取付用Ｃ形鋼
３              取付金具
４              天井下地
５Ａ，５Ｂ      金具半割体
６Ａ，６Ｂ      上板部
７Ａ，７Ｂ      下板部
８Ａ，８Ｂ      側板部
９              ボルト挿通孔
１０，１１      補強片
１２            タッピング孔
２５            緩衝材
【図１】
2008308874.tif 000003
【図２】
2008308874.tif 000004
【図３】
2008308874.tif 000005
【図４】
2008308874.tif 000006
【図５】
2008308874.tif 000007
【図６】
2008308874.tif 000008